(57)【特許請求の範囲】
【請求項１】
複数の表示装置と接続可能であり、当該複数の表示装置のうちの接続された表示装置へ映像ストリームを出力する映像ストリーム処理装置であって、
前記映像ストリームから、前記映像ストリームが表示装置に表示される場合の画質及び／又は音質を制御するための情報である映像プロファイルを抽出する抽出部と、
表示装置が入出力の処理を行う時点の特性を示した入出力特性データを前記接続された表示装置から読み出し、前記抽出した映像プロファイル及び前記読み出した入出力特性データを用いて、前記映像ストリームの画質及び／又は音質を、前記接続された表示装置の特性に合わせて調整し、前記調整後の映像ストリームを前記接続された表示装置に出力する画質調整部とを備えることを特徴とする、映像ストリーム処理装置。
【請求項２】
前記入出力特性データは、表示装置の動作モード毎にそれぞれ対応付けられており、
前記画質調整部は、前記表示装置の動作モードに対応した入出力特性データを前記接続された表示装置から読み出し、前記抽出した映像プロファイル及び前記読み出した入出力特性データを用いて、前記映像ストリームの画質及び／又は音質を、前記接続された表示装置の特性に合わせて調整することを特徴とする、請求項１に記載の映像ストリーム処理装置。
【請求項３】
前記映像ストリーム処理装置は、ユーザによって指定された映像プロファイルを受け付け、
前記画質調整部は、前記抽出した映像プロファイルが使用されないと判断した場合には、前記ユーザによって指定された映像プロファイル及び前記読み出した入出力特性データを用いて、前記映像ストリームの画質及び／又は音質を、前記接続された表示装置の特性に合わせて調整することを特徴とする、請求項１又は２に記載の映像ストリーム処理装置。
【発明の詳細な説明】
【技術分野】
【０００１】
本発明は、映像ストリーム処理装置および映像ストリーム処理方法に関し、より特定的には、符号化された映像ストリームに対して所定の処理を実行する映像ストリーム処理装置および映像ストリーム処理方法に関する。
【背景技術】
【０００２】
近年では映像機器の普及が進み、テレビジョン受信機、チューナ、ビデオデッキ、ＤＶＤデッキなどの映像機器を一人で多数所有する場合が増加している。また、放送の多チャンネル化が進み、映像機器で扱う映像の種類も増加している。例えば、テレビジョン受信機では、映画、スポーツ、ドラマ、アニメーションなど、多くの種類の番組映像が画面に表示される。そこで、これら多くの種類の番組映像を常に良好な画質で表示するためには、番組ごとに画質調整を行う必要がある。特に、ユーザの好みに合わせて画質調整を行うためには、ユーザ自身が映像機器の画質調整機能を用いて画質調整を行う必要がある。このような映像機器の画質調整に関しては、例えば、特許文献１に記載された方法が知られている。
【特許文献１】特開２０００−１３２９４９号公報
【発明の開示】
【発明が解決しようとする課題】
【０００３】
しかしながら、ユーザが映像機器の画質調整機能を用いて画質調整を行うことは、実際にはあまり行われていない。その理由は、映像機器ごとに表示される映像の画質が異なり、表示される映像の種類ごとに映像機器の好ましい設定も異なるため、ユーザは、映像機器や映像の種類に応じて画質調整を行うことを面倒に感じるからである。このため、大半のユーザは、表示される映像の画質が多少悪くても、それを我慢したままで映像機器を使用する。
【０００４】
それ故に、本発明は、ユーザが面倒な操作を行わなくても、常に良好な画質で映像を表示するための映像ストリーム処理装置および映像ストリーム処理方法を提供することを目的とする。
【課題を解決するための手段】
【０００５】
本発明は、表示装置と接続され、映像ストリームを出力する映像ストリーム処理装置に向けられている。そして、上記目的を達成させるために、本発明の映像ストリーム処理装置は、映像ストリームから、映像ストリームが表示装置に表示される場合の画質及び／又は音質を制御するための情報である映像プロファイルを抽出する抽出部と、表示装置が入出力の処理を行う時点の特性を示した入出力特性データを表示装置から読み出し、抽出した映像プロファイル及び読み出した入出力特性データを用いて、映像ストリームが表示装置に表示される場合の画質及び／又は音質を、表示装置の入出力の特性を考慮して調整し、調整後の映像ストリームを表示装置に出力する画質調整部とを備える。
【０００６】
また、入出力特性データは、表示装置の動作モード毎にそれぞれ対応付けられており、画質調整部は、表示装置の動作モードに応じて、動作モードに対応した入出力特性データを表示装置から読み出し、抽出した映像プロファイル及び読み出した入出力特性データを用いて、映像ストリームが表示装置に表示される場合の画質及び／又は音質を、表示装置の入出力の特性を考慮して調整してもよい。
【０００７】
また、本発明の映像ストリーム処理装置は、ユーザによって指定された映像プロファイルを受け付け、画質調整部は、抽出した映像プロファイルが使用されないと判断した場合には、ユーザによって指定された映像プロファイル及び読み出した入出力特性データを用いて、映像ストリームが表示装置に表示される場合の画質及び／又は音質を、表示装置の入出力の特性を考慮して調整してもよい。
【発明の効果】
【００１４】
本発明の映像ストリーム処理装置によれば、映像ストリームに付加した画質制御情報（映像プロファイル）及び表示装置の入出力特性データを用いて画質調整を自動的に行うことにより、映像機器を変更したり映像の種類が変化したりする場合でも、ユーザが面倒な操作を行うことなく、常に良好な画質で映像を表示することができる。特に、入力された映像ストリームの種類に応じた画質制御情報を付加することにより、簡単な手法で効果的に画質調整を行うことができる。
【発明を実施するための最良の形態】
【００１７】
（第１の実施形態）
図１は、本発明の第１の実施形態に係る映像ストリーム処理装置の構成を示すブロック図である。図１に示す映像ストリーム処理装置１０は、ストリーム入力部１１、画質制御情報記憶部１２、画質制御情報付加部１３、および、記録部１４を備えている。映像ストリーム処理装置１０は、入力された映像ストリーム１０１に対して映像プロファイル１０３を付加し、映像プロファイル１０３を付加した映像ストリーム１０４を記録する映像記録装置である。
【００１８】
図１において、ストリーム入力部１１は、符号化された映像ストリーム１０１を入力するための入力部である。映像ストリーム１０１は、典型的には、音声ストリームや制御ストリームなどと共に映像ストリーム処理装置１０に入力される。以下、少なくとも符号化された映像ストリームを含むストリームを、単に映像ストリームという。映像ストリーム１０１としては、例えば、ＭＰＥＧ（Moving Picture Experts Group）に準拠したトランスポートストリームが入力される。
【００１９】
ストリーム入力部１１は、映像ストリーム１０１を入力する機能を有するものであれば、任意の構成を有していてもよい。例えば、ストリーム入力部１１は、アンテナで受信した信号を処理するチューナと選局部とを含んでいてもよい。この場合、チューナは、アンテナで受信した信号からユーザが指定した周波数帯域の信号を選択して復調し、選局部は、復調された信号からユーザが指定した局の映像ストリーム１０１を選択して出力する。あるいは、ストリーム入力部１１は、映像ストリーム処理装置１０の外部から符号化された映像ストリーム１０１を入力するために、ＩＥＥＥ１３９４などに準拠したインターフェイス回路を含んでいてもよい。あるいは、ストリーム入力部１１は、符号化された映像ストリーム１０１を蓄積したハードディスクドライブで構成されていてもよい。ストリーム入力部１１から入力された映像ストリーム１０１は、画質制御情報付加部１３に供給される。
【００２０】
画質制御情報記憶部１２は、映像ストリーム１０１の種類ごとに予め定められた画質制御情報を記憶する。図２は、画質制御情報記憶部１２に記憶されたデータの例を示す図である。図２に示すように、画質制御情報記憶部１２は、プロファイル番号と映像の種類とタグ情報と映像制御パラメータと音声制御パラメータと制御データとを記憶する。このうち映像制御パラメータが、画質制御情報に相当する。以下、図２に示す１行分の映像制御パラメータと音声制御パラメータと制御データとを合わせて、映像プロファイルと呼ぶ。なお、本実施形態に係る映像プロファイルには、音声制御パラメータと制御データとが含まれているが、一般に映像プロファイルには、少なくとも画質制御情報（図２では映像制御パラメータ）が含まれていればよい。
【００２１】
図２において、プロファイル番号は、映像プロファイルを識別するための番号である。映像の種類は、各映像プロファイルに対応づけられた映像の種類を表す。ここで、映像の種類とは、例えば、映画、アニメーション、グラフィックスなどである。タグ情報は、ユーザが映像プロファイルを区別するために、各映像プロファイルに対応づけられた文字列である。タグ情報は、例えば、ユーザが映像プロファイルを選択するときに、映像ストリーム処理装置の表示部（図示せず）などに表示される。
【００２２】
映像プロファイルには、映像ストリーム１０１に基づく映像の画質やそのときに同時に出力される音声の音質を制御するための各種のパラメータが含まれる。図２に示す映像プロファイルには、映像制御パラメータとして、ガンマ値と最高輝度とコントラストと色変換とが含まれており、音声制御パラメータとして、ボリュームとサウンドとバスと５．１チャネル拡張（図２では５．１ｃｈと記載）とイコライザとが含まれており、制御データとして、言語記述が含まれている。映像制御パラメータを用いることにより、映像の種類に応じて映像の画質を制御することができる。また、音声制御パラメータを用いることにより、映像の種類に応じて音場を切り換えることができる。例えば、映像の種類がニュースであるときには低音を抑えたり、映像の種類が文字放送であるときには音量を下げたりするなどの制御を容易に行うことができる。
【００２３】
図２においてｉ（ｉは自然数、以下同じ）番目の映像プロファイルに含まれる色変換式ＣＴｉは、映像を構成する各画素に適用される色変換式を表す。また、ｉ番目の映像プロファイルに含まれるイコライザＥＱｉは、複数の周波数帯域における音声の出力調整レベルを表す。より詳細には、イコライザでは、複数の周波数帯域（例えば、８０Ｈｚ、１５０Ｈｚ、２５０Ｈｚ、５００Ｈｚ、１ｋＨｚ、２．５ｋＨｚ、５ｋＨｚおよび１０ｋＨｚ）における音声信号のカット量またはブースト量が、デシベル値で指定される。また、ｉ番目の映像プロファイルに含まれる言語記述ＬＤｉは、映像制御パラメータや音声制御パラメータを制御するための、ＸＭＬ（eXtensible Markup Language）やＢＭＬ（Broadcast Markup Language ）などを用いた言語記述である。なお、図２に示す映像プロファイルは一例であり、映像プロファイルは、映像ストリーム１０１に基づく映像の画質を制御するためのパラメータを少なくとも１個含んでいればよい。
【００２４】
映像プロファイルを画質制御情報記憶部１２に設定する方法には、以下のような方法がある。例えば、映像ストリーム処理装置１０内のＲＯＭやＲＡＭなどに予め記憶された映像プロファイルを画質制御情報記憶部１２に設定してもよい。あるいは、ユーザによって入力された映像プロファイルを画質制御情報記憶部１２に設定してもよい。この場合、ユーザは、映像ストリーム処理装置１０のグラフィカルユーザインターフェイスに従い、映像プロファイルを入力してもよく、また、バーコード入力装置を用いてコード番号を入力することにより、映像プロファイルを入力してもよい。
【００２５】
あるいは、映像ストリーム処理装置１０に設けられたハードディスクドライブやＤＶＤやメモリカードなどに記録された映像プロファイルを画質制御情報記憶部１２に設定してもよい。あるいは、映像ストリーム１０１に予め重畳された映像プロファイルや、別のストリームとして映像ストリーム１０１と共に入力された映像プロファイルを画質制御情報記憶部１２に設定してもよい。あるいは、映像ストリーム１０１がＤＶＤなどの外部記録媒体から入力される場合には、外部記録媒体のうちで映像ストリーム１０１が記録されていない領域に記録された映像プロファイルを画質制御情報記憶部１２に設定してもよい。
【００２６】
画質制御情報付加部１３は、入力された映像ストリーム１０１に、映像ストリーム１０１に基づく映像の画質を制御するための情報として、映像プロファイル１０３を追加する。より詳細には、画質制御情報付加部１３は、映像ストリーム１０１の種類に対応した映像プロファイル１０３を画質制御情報記憶部１２から読み出し、読み出した映像プロファイル１０３を映像ストリーム１０１の所定のデータ領域に書き込む。例えば、画質制御情報記憶部１２に図２に示す映像プロファイルが記憶されており、かつ、映像ストリーム１０１の種類が「映画」である場合、画質制御情報付加部１３は、画質制御情報記憶部１２から、映像の種類が「映画」である映像プロファイル（ガンマ値が１．０５、最高輝度が２００、コントラストが２００、色変換が第１の色変換式、ボリュームが８０％、以下省略）を読み出し、読み出した映像プロファイルを映像ストリーム１０１の所定のデータ領域に書き込む。なお、映像プロファイル１０３が書き込まれる映像ストリーム１０１のデータ領域は、映像ストリーム１０１の規格で定められていてもよく、あるいは、映像ストリーム１０１の規格で定められていなくてもよい。後者の場合、映像プロファイル１０３は、映像ストリーム１０１の規格で定められた予備データ領域（一般に、リザーブ領域と呼ばれる）などに書き込まれる。また、映像プロファイル１０３に含まれるパラメータを映像ストリーム１０１に書き込むときの形式や順序は任意でよい。
【００２７】
例えば、入力された映像ストリーム１０１がデジタルテレビジョン放送受信機で受信されたトランスポートストリームである場合、映像ストリーム１０１に含まれる制御ストリームには番組情報が含まれており、番組情報には映像の種類を表すジャンル情報が含まれている。この場合、画質制御情報付加部１３は、図１に示すように、トランスポートストリームデコーダ（以下、ＴＳデコーダという）１５、解析部１６、および、合成部１７を用いて構成される。ＴＳデコーダ１５は、入力された映像ストリーム１０１に含まれる制御ストリームを抽出する。解析部１６は、ＴＳデコーダ１５で抽出された制御ストリームを解析し、その中から番組情報に含まれるジャンル情報を抽出する。抽出されたジャンル情報は、映像ストリーム１０１の種類を表す情報（以下、映像の種類１０２という）として扱われる。画質制御情報記憶部１２は、解析部１６で抽出された映像の種類１０２（ここでは、ジャンル情報）に応じた映像プロファイル１０３を出力する。合成部１７は、画質制御情報記憶部１２から出力された映像プロファイル１０３を、ＴＳデコーダ１５から出力された映像ストリームに合成する。画質制御情報付加部１３からは、映像プロファイル１０３を付加した映像ストリーム１０４が出力される。
【００２８】
画質制御情報付加部１３は、映像ストリームの再生に支障を与えない限り、入力された映像ストリーム１０１のどの部分に映像プロファイル１０３を付加してもよい。例えば、入力された映像ストリーム１０１がＭＰＥＧ２トランスポートストリームである場合、図３に示すいずれかの方法で、映像プロファイル１０３を映像ストリーム１０１に埋め込むことができる。一般に、ＭＰＥＧ２トランスポートストリームは、複数のトランスポートパケット（以下、ＴＳパケットという）に分割された形式で入力される。１個のＴＳパケットは、図３（ａ）に示すように、４バイトのヘッダと１８４バイトのデータ部とからなり、データ部には、アダプテーションフィールド、ペイロード、または、その両者が含まれる。
【００２９】
このような形式を有する映像ストリーム１０１が入力された場合、第１の方法として、映像プロファイルをプライベートストリームに埋め込んでもよい（図３（ｂ）を参照）。この方法では、映像ストリーム処理装置１０では使用されない、あるパケットＩＤ（以下、Ｎとする）が選択され、入力された映像ストリーム１０１に対して、パケットＩＤがＮで、ペイロードに映像プロファイル（斜線部）を含んだトランスポートパケットが追加される。
【００３０】
あるいは、第２の方法として、映像プロファイルをＴＳパケット中のアダプテーションフィールドに埋め込んでもよい（図３（ｃ）を参照）。この方法では、ＴＳパケットのヘッダに含まれるａｄａｐｔａｔｉｏｎ＿ｆｉｅｌｄ＿ｃｏｎｔｒｏｌが１０または１１（２進数）に、アダプテーションフィールドに含まれるｔｒａｎｓｐｏｒｔ＿ｐｒｉｖａｔｅ＿ｄａｔａ＿ｆｌａｇが１に設定され、その上で、アダプテーションフィールド内に映像プロファイル（斜線部）が配置される。
【００３１】
あるいは、第３の方法として、映像プロファイルをＰＥＳパケットのヘッダに埋め込んでもよい（図３（ｄ）を参照）。この方法では、ＰＥＳパケットのヘッダに含まれるＰＥＳ＿ｅｘｔｅｎｓｉｏｎ＿ｆｌａｇおよびＰＥＳ＿ｐｒｉｖａｔｅ＿ｄａｔａ＿ｆｌａｇがいずれも１に設定され、その上で、ＰＥＳパケットのヘッダ内に、所定長（具体的には２８バイト）に分割された映像プロファイル（斜線部）が配置される。
【００３２】
あるいは、第４の方法として、映像プロファイルをＮＵＬＬパケットに埋め込んでもよい（図３（ｅ）を参照）。ＭＰＥＧ２トランスポートストリームには、データレートを調整するために、有効なデータを含まないＮＵＬＬパケットが含まれている。この方法では、ＮＵＬＬパケットにおいて無効なデータが配置された位置に映像プロファイル（斜線部）が配置される。
【００３３】
なお、画質制御情報記憶部１２は、ある映像の種類について、複数の映像プロファイルを記憶している場合がある。図２に示す例では、画質制御情報記憶部１２は、映像の種類がドラマである場合について、２つの映像プロファイルを記憶している。このような場合には、画質制御情報付加部１３は、映像の種類に対応した複数の映像プロファイルを映像ストリームに付加してもよい。あるいは、画質制御情報付加部１３は、映像の種類に対応した複数の映像プロファイルの中から、付加すべき映像プロファイルを１つだけ選択してもよい。後者の場合に１つの映像プロファイルを選択する方法としては、デフォルトで選択される映像プロファイルをユーザが予め指定しておく方法や、映像ストリームを記録するときに、選択すべき映像プロファイルをユーザが指定する方法などがある。
【００３４】
記録部１４は、画質制御情報付加部１３から出力された、映像プロファイル１０３を付加した映像ストリーム１０４を記録する。記録部１４は、例えば、ハードディスクドライブによって構成される。
【００３５】
図４は、映像ストリーム処理装置１０における映像ストリーム記録処理を示すフローチャートである。図４に示す処理は、符号化された映像ストリーム１０１がストリーム入力部１１から入力されたときに開始される。図４に示す処理では、まず、画質制御情報付加部１３が、入力された映像ストリームを解析し（ステップＳ１０１）、入力された映像ストリームに番組情報が含まれているか否かを判断する（ステップＳ１０２）。
【００３６】
番組情報が含まれている場合には（ステップＳ１０２のＹｅｓ）、画質制御情報付加部１３は、映像ストリーム１０１に含まれる番組情報から、映像の種類（例えば、映画、アニメーション、グラフィックスなどのいずれか）を取得し（ステップＳ１０３）、取得した映像の種類に対応した映像プロファイルが画質制御情報記憶部１２に記憶されているか否かを判断する（ステップＳ１０４）。
【００３７】
映像の種類に対応した映像プロファイルが画質制御情報記憶部１２に記憶されている場合には（ステップＳ１０４のＹｅｓ）、画質制御情報付加部１３は、当該映像の種類に対応した映像プロファイルを画質制御情報記憶部１２から読み出し（ステップＳ１０５）、読み出した映像プロファイルを使用するか否かを判断する（ステップＳ１０６）。画質制御情報付加部１３は、ステップＳ１０６では、例えばユーザがコマンド入力部（図示せず）を用いて入力したコマンドに従って、読み出した映像プロファイル使用するか否かを判断する。
【００３８】
読み出した映像プロファイルを使用する場合には（ステップＳ１０６のＹｅｓ）、画質制御情報付加部１３は、ステップＳ１０７に進む。この場合、画質制御情報付加部１３は、ステップＳ１０５で読み出した映像プロファイルを入力された映像ストリーム１０１に付加する（ステップＳ１０７）。
【００３９】
一方、ステップＳ１０２、Ｓ１０４またはＳ１０６のいずれかにおいて否と判断した場合には、画質制御情報付加部１３は、ステップＳ１０８に進む。この場合、画質制御情報付加部１３は、使用する映像プロファイルを所定の方法で決定する（ステップＳ１０８）。画質制御情報付加部１３は、ステップＳ１０８では、例えばデフォルト値として予め定められた映像プロファイル、あるいは、ユーザがコマンド入力部（図示せず）を用いて選択した映像プロファイルを、使用する映像プロファイルとして決定する。次に、画質制御情報付加部１３は、ステップＳ１０８で決定した映像プロファイルを入力された映像ストリーム１０１に付加する（ステップＳ１０９）。
【００４０】
ステップＳ１０７またはＳ１０９が実行された後、記録部１４は、画質制御情報付加部１３で映像プロファイルが付加された映像ストリームを記録する（ステップＳ１１０）。これをもって、映像ストリーム処理装置１０における映像ストリーム記録処理は完了する。
【００４１】
なお、映像ストリーム処理装置１０には、既に映像プロファイルが付加された映像ストリーム１０１が入力されることとしてもよい。この場合、映像ストリーム処理装置１０は、先に付加された映像プロファイルを新たに求めた映像プロファイルに置換してもよく、あるいは、ユーザからの指定に応じて、新旧いずれの映像プロファイルを使用するかを切り換えてもよい。
【００４２】
以上に示すように、本実施形態に係る映像ストリーム処理装置は、入力された映像ストリームに画質制御情報（上記の説明では、映像プロファイル）を付加し、画質制御情報を付加した映像ストリームを記録する。記録された映像ストリームは、映像を再生する別の映像ストリーム処理装置に入力され、この映像ストリーム処理装置は、入力された映像ストリームから画質制御情報を抽出し、これを用いて、映像ストリームに基づく映像の画質を調整する。このように映像ストリームに付加した画質制御情報を用いて画質調整を自動的に行うことにより、映像機器を変更したり映像の種類が変化したりする場合でも、ユーザが面倒な操作を行うことなく、常に良好な画質で映像を表示することができる。
【００４３】
また、本実施形態に係る映像ストリーム処理装置は、入力された映像ストリームに対して、当該映像ストリームの種類に対応した画質制御情報を付加する。より詳細には、この装置は、入力された映像ストリームの種類ごとに予め定められた画質制御情報を記憶しており、入力された映像ストリームの種類に対応した画質制御情報を読み出して、当該映像ストリームに付加する。このように映像ストリームの種類に対応した画質制御情報を用いて画質制御を行うことにより、簡単な手法で効果的に画質調整を行うことができる。
【００４４】
（第２の実施形態）
図５は、本発明の第２の実施形態に係る映像ストリーム処理装置の構成を示すブロック図である。図５に示す映像ストリーム処理装置２０は、ストリーム入力部２１、画質制御情報抽出部２２、復号部２３、および、画質調整部２４を備えている。映像ストリーム処理装置２０は、入力された映像ストリーム２０１から映像プロファイル２０２を抽出し、これを用いて、再生された映像信号２０５の画質を調整する映像再生装置である。映像ストリーム処理装置２０は、外部に設けられた表示装置８０と所定のインターフェイスを用いて接続される。映像ストリーム処理装置２０で再生された映像は、表示装置８０に表示される。
【００４５】
図５において、ストリーム入力部２１は、第１の実施形態と同様に、符号化された映像ストリーム２０１を入力するための入力部である。ただし、ストリーム入力部２１から入力される映像ストリーム２０１には、第１の実施形態に係る映像ストリーム処理装置１０などによって、画質制御情報として映像プロファイルが付加されている。ストリーム入力部２１は、映像ストリーム２０１を入力する機能を有するものであれば、任意の構成を有していてもよい。ストリーム入力部２１は、第１の実施形態と同様に、チューナと選局部の組合せ、ＩＥＥＥ１３９４のインターフェイス回路、あるいは、ハードディスクドライブなどによって構成される。
【００４６】
画質制御情報抽出部２２は、ストリーム入力部２１から入力された映像ストリーム２０１から、付加された映像プロファイル２０２を抽出する。より詳細には、画質制御情報抽出部２２は、ストリーム入力部２１から入力された映像ストリーム２０１の所定のデータ領域から、映像プロファイル２０２を抽出する。抽出された映像プロファイル２０２は、画質調整部２４に供給され、映像プロファイル２０２を抽出した後の映像ストリームは、復号部２３に供給される。
【００４７】
このような画質制御情報抽出部２２は、図５に示すように、ＴＳデコーダ２５、および、解析部２６を用いて構成される。ＴＳデコーダ２５は、入力された映像ストリーム２０１に含まれる制御ストリームを抽出する。解析部２６は、ＴＳデコーダ２５で抽出された制御ストリームを解析し、その中から映像プロファイル２０２を抽出する。
【００４８】
復号部２３は、映像プロファイルが抽出された後の映像ストリームに基づき、映像信号２０５と音声信号（図示せず）を求める。復号部２３は、例えば、ＭＰＥＧ２映像デコーダとＭＰＥＧ２音声デコーダとによって構成される。
【００４９】
画質調整部２４は、画質制御情報抽出部２２で抽出された映像プロファイル２０２に基づき、復号部２３で求めた映像信号２０５の特性を調整し、画質調整後の映像信号２０６を出力する。この際、画質調整部２４は、表示装置８０に記憶された入出力特性データ２０３を読み出し、これを考慮して画質調整を行う。なお、表示装置８０は、動作モードごとに入出力特性データを有しており、画質調整部２４は、表示装置８０の動作モードに応じた入出力特性データ２０３を読み出すものとする。
【００５０】
このような画質調整部２４は、図５に示すように、制御データ算出部２７、および、映像出力制御部２８を用いて構成される。制御データ算出部２７は、画質制御情報抽出部２２で抽出された映像プロファイル２０２と、表示装置８０から読み出した入出力特性データ２０３とに基づき、映像出力制御部２８が映像信号の特性を調整する際に必要な制御データを算出する。映像出力制御部２８は、制御データ算出部２７で算出された制御データに基づき、復号部２３で求めた映像信号２０５の特性を調整する。このようにして画質調整部２４からは、画質調整後の映像信号２０６が出力される。
【００５１】
なお、入力された映像ストリーム２０１に複数の映像プロファイルが含まれており、画質制御情報抽出部２２が複数の映像プロファイル２０２を抽出した場合には、画質調整部２４は、抽出された複数の映像プロファイル２０２のうちから一の映像プロファイルを選択し、選択した映像プロファイルに基づき、復号部２３で求めた映像信号２０５の特性を調整する。
【００５２】
映像ストリーム処理装置２０と表示装置８０との間は、前者から後者に向けて映像信号を伝送でき、後者から前者に向けて制御データを伝送できる双方向のインターフェイスを用いて接続される。両者の接続には、例えば、次世代ＨＤＴＶのインターフェイス規格であるＨＤＭＩ（High-Definition Multimedia Interface）を使用することができる。なお、必要なデータ伝送を実行できる限り、映像ストリーム処理装置２０と表示装置８０との間の接続には、任意の有線通信あるいは無線通信を使用することができる。
【００５３】
画質調整後の映像信号２０６は、映像ストリーム処理装置２０に接続された表示装置８０に出力される。表示装置８０は、入力された映像信号に基づく映像を表示する表示デバイス８１を含んでいる。これにより、表示装置８０の表示デバイス８１には、画質調整後の映像信号２０６に基づく映像が表示される。
【００５４】
図６は、映像ストリーム処理装置２０における映像ストリーム再生処理を示すフローチャートである。図６に示す処理は、例えば、ユーザがコマンド入力部（図示せず）を用いて映像ストリームの再生を指示したときに開始される。図６に示す処理では、まず、ストリーム入力部２１から、再生すべき映像ストリーム２０１が入力される（ステップＳ２０１）。次に、画質制御情報抽出部２２は、入力された映像ストリーム２０１に付加された映像プロファイル２０２を抽出し（ステップＳ２０２）、抽出した映像プロファイル２０２を画質調整部２４に供給する（ステップＳ２０３）。
【００５５】
次に、復号部２３は、ステップＳ２０２で映像プロファイル２０２を抽出した後の映像ストリームに基づき、映像信号２０５を求める（ステップＳ２０４）。次に、画質調整部２４は、ステップＳ２０３で供給された映像プロファイルに基づき、ステップＳ２０４で求めた映像信号２０５の特性を調整し、画質調整後の映像信号２０６を出力する（ステップＳ２０５）。表示装置８０は、映像ストリーム処理装置２０から画質調整後の映像信号２０６を受け取り、画質調整後の映像信号２０６に基づく映像を表示する（ステップＳ２０６）。これをもって、映像ストリーム処理装置２０における映像ストリーム再生処理は完了する。
【００５６】
図７は、映像ストリーム処理装置２０における映像プロファイル変更時の処理を示すフローチャートである。図７に示す処理は、画質制御情報抽出部２２から画質調整部２４に対して、新たな映像プロファイル２０２が供給されたときに実行される。図７に示す処理では、まず、画質調整部２４は、供給された映像プロファイル２０２を受け取る（ステップＳ３０１）。
【００５７】
次に、画質調整部２４は、表示装置８０に記憶された、表示装置８０の入出力特性データを取得できるか否かを判断する（ステップＳ３０２）。表示装置８０の入出力特性データを取得できる場合には（ステップＳ３０２のＹｅｓ）、画質調整部２４は、表示装置８０から、表示装置８０の入出力特性データを取得し（ステップＳ３０３）、その後の処理では取得した入出力特性データを使用する。それ以外の場合には（ステップＳ３０２のＮｏ）、画質調整部２４は、表示装置８０について予め定められた入出力特性データを採用し（ステップＳ３０４）、その後の処理では採用した入出力特性データを使用する。
【００５８】
次に、画質調整部２４は、ステップＳ３０１で受け取った映像プロファイル２０２と、ステップＳ３０３で取得した表示装置８０の入出力特性データ２０３（または、ステップＳ３０４で採用した表示装置の入出力特性データ）とに基づき、画質調整部２４で画質制御を行うときに必要な制御データ、および、表示装置８０の入出力特性データを求める（ステップＳ３０５）。次に、画質調整部２４は、ステップＳ３０５で求めた表示装置８０の入出力特性データを、表示装置８０に出力する（ステップＳ３０６）。これをもって、映像ストリーム処理装置２０における映像プロファイル変更時の処理を完了する。
【００５９】
図７に示す処理が完了した後、画質調整部２４は、ステップＳ３０５で求めた制御データに従って、復号部２３で求めた映像信号２０５の特性を調整する。また、表示装置８０はステップＳ３０５で求めた入出力特性データに従って、画質調整後の映像信号２０６の特性を調整し、画質調整後の映像信号２０６に基づく映像を表示する。
【００６０】
以上に示すように、本実施形態に係る映像ストリーム処理装置は、入力された映像ストリームから画質制御情報（上記の説明では、映像プロファイル）を抽出し、これを用いて、映像ストリームに基づく映像の特性を調整する。このように映像ストリームに付加した画質制御情報を用いて画質調整を自動的に行うことにより、映像機器を変更したり映像の種類が変化したりする場合でも、ユーザが面倒な操作を行うことなく、常に良好な画質で映像を表示することができる。
【００６１】
また、本実施形態に係る映像ストリーム処理装置には、映像ストリームの種類に対応した画質制御情報が付加された映像ストリームが入力される。したがって、映像ストリームの種類に対応した画質制御情報を用いて画質制御を行うことにより、簡単な手法で効果的に画質調整を行うことができる。
【００６２】
なお、本実施形態に係る映像ストリーム処理装置については、以下のような変形例を構成することもできる。例えば、図８に示すように、映像ストリーム処理装置は、映像信号を求める部分に加えて、求めた映像信号に基づく画面を表示する表示部を備えていてもよい。図８に示す映像ストリーム処理装置３０は、図５に示す映像ストリーム処理装置２０において、画質調整部２４を画質調整部３４に置換し、表示部３９を追加したものである。画質調整部３４は、画質調整部２４において、制御データ算出部２７を制御データ算出部３７に置換したものである。制御データ算出部３７は、各動作モードにおける表示部３９の入出力特性データを内蔵し、画質制御情報抽出部２２で抽出された映像プロファイル２０２と表示部３９の動作モード２０７とに基づき、映像出力制御部２８が画質調整を行うときに必要な制御データを算出する。図８に示す映像ストリーム処理装置３０は、図５に示す映像ストリーム処理装置２０と同様の効果を奏する。
【００６３】
また、図５に示す映像ストリーム処理装置２０は、ＨＤＭＩなどのインターフェイスを用いて、表示装置８０の入出力特性データ２０３を取得することとしたが、他の方法を用いて、表示装置８０の入出力特性データを取得してもよい。例えば、映像ストリーム処理装置は、ＤＶＤなどの記憶媒体から表示装置８０の入出力特性データを読み出してもよく、あるいは、通信回線を介して接続されたサーバなどから表示装置８０の入出力特性データをダウンロードしてもよい。
【００６４】
また、図６に示す映像ストリーム再生処理では、ステップＳ２０２で抽出された映像プロファイルが自動的に使用されることとしたが、これに代えて、ステップＳ２０２で抽出された映像プロファイルを使用するか否かが判断され、使用しないと判断された場合には、ユーザによって指定された映像の種類に対応した映像プロファイルが使用されることとしてもよい。
【００６５】
（第３の実施形態）
図９は、本発明の第３の実施形態に係る映像ストリーム処理装置の構成を示すブロック図である。図９に示す映像ストリーム処理装置４０は、ストリーム入力部１１、画質制御情報記憶部１２、画質制御情報付加部１３、記録部４３、画質制御情報抽出部２２、復号部２３、および、画質調整部２４を備えている。映像ストリーム処理装置４０は、第１の実施形態に係る映像ストリーム処理装置１０（図１）と第２の実施形態に係る映像ストリーム処理装置２０（図５）とを一体化したものであり、映像記録再生装置として機能する。本実施形態の構成要素のうち、第１および第２の実施形態と同一の構成要素については、同一の参照符号を付して、説明を省略する。
【００６６】
図９に示す構成要素のうち、ストリーム入力部１１、画質制御情報記憶部１２、画質制御情報付加部１３、および、記録部４３は、映像ストリーム記録部４１を構成する。また、記録部４３、画質制御情報抽出部２２、復号部２３、および、画質調整部２４は、映像ストリーム再生部４２を構成する。この構成では、記録部４３は、映像ストリーム記録部４１の記録部として機能するとともに、映像ストリーム再生部４２のストリーム入力部として機能する。
【００６７】
映像ストリーム記録部４１および映像ストリーム再生部４２は、それぞれ、第１および第２の実施形態に係る映像ストリーム処理装置１０、２０と同様に動作する。より詳細には、映像ストリーム記録部４１は、ストリーム入力部１１から入力された映像ストリーム１０１に対して、映像プロファイル１０３を付加する。映像プロファイル１０３を付加した映像ストリーム１０４は、記録部４３に記録される。映像ストリーム再生部４２は、記録部４３から読み出した映像ストリーム２０１から映像プロファイル２０２を抽出し、これを用いて、映像ストリーム２０１を復号して得られた映像信号２０５に対して画質制御を行う。画質調整後の映像信号２０６は、映像ストリーム処理装置４０に接続された表示装置８０に出力される。表示装置８０は、画質調整後の映像信号２０６に基づく映像を画面に表示する。
【００６８】
したがって、本実施形態に係る映像ストリーム処理装置によれば、入力された映像ストリームに画質制御情報（上記の説明では、映像プロファイル）を付加して記録し、付加された画質制御情報を用いて、映像ストリームに基づく映像の特性を調整する。このように映像ストリームに付加した画質制御情報を用いて画質調整を自動的に行うことにより、映像機器を変更したり映像の種類が変化したりする場合でも、ユーザが面倒な操作を行うことなく、常に良好な画質で映像を表示することができる。
【００６９】
なお、本実施形態に係る映像ストリーム処理装置については、以下のような変形例を構成することができる。例えば、図１０に示すように、映像ストリーム処理装置は、映像信号を求める部分に加えて、求めた映像信号に基づく画面を表示する表示部を備えていてもよい。図１０に示す映像ストリーム処理装置５０は、図９に示す映像ストリーム処理装置４０において、画質調整部２４を画質調整部３４に置換し、表示部３９を追加したものである。映像ストリーム処理装置５０に含まれる画質調整部３４および表示部３９は、図８に示す画質調整部３４および表示部３９と同じものであるので、ここではその説明を省略する。図１０に示す映像ストリーム処理装置５０は、図９に示す映像ストリーム処理装置４０と同様の効果を奏する。
【００７０】
また、図１１に示すように、映像ストリーム処理装置は、データを着脱可能に構成された記憶媒体に記憶させる記憶媒体制御部を備えていてもよい。図１１に示す映像ストリーム処理装置６０は、画質制御情報記憶部１２に記憶された映像プロファイルを、着脱可能に構成された記憶媒体９０に記憶させる記憶媒体制御部６１を備えている。記憶媒体９０には、例えば、メモリカードやフレキシブルディスクなどが使用される。図１１に示す映像ストリーム処理装置６０によれば、外部から映像プロファイルを自由な値に設定することができる。また、ある映像ストリーム処理装置で映像プロファイルを書き込んだ記憶媒体を他の映像ストリーム処理装置に装着することにより、複数の映像ストリーム処理装置間で再生される映像の画質を一致させることができる。
【００７１】
また、図１２に示すように、映像ストリーム処理装置は、映像ストリームを記録する記録部を備えないこととしてもよい。図１２に示す映像ストリーム処理装置７０は、図９に示す映像ストリーム処理装置４０から記録部４３を削除し、画質制御情報付加部１３および画質制御情報抽出部２２を画質制御情報決定部７１に置換したものである。画質制御情報決定部７１は、画質制御情報記憶部１２から、入力された映像ストリーム１０１の種類に応じた映像プロファイル１０３を読み出し、読み出した映像プロファイル１０３を映像プロファイル２０２として画質調整部２４に出力する。このように、映像ストリーム処理装置７０では、入力された映像ストリーム１０１は記録されることなく再生され、映像ストリーム１０１の種類に応じた映像プロファイル１０３を用いた画質制御が行われる。
【００７２】
以上に示すように、第１〜第３の実施形態に係る映像ストリーム処理装置は、映像ストリームに対して所定の処理を実行する装置である。例えば、第１の実施形態に係る映像ストリーム処理装置は、テレビジョン放送局に設置される映像ストリーム作成装置として使用され、第２の実施形態に係る映像ストリーム処理装置は、テレビジョン受信機として使用される。この場合、画質制御情報を付加した映像ストリームは、テレビジョン放送局で作成される。テレビジョン受信機は、画質制御情報を付加した映像ストリームを受信し、付加された画質制御情報を用いて、映像ストリームに基づく映像の画質制御を行う。これにより、ユーザが画質調整を行わなくても、映像制作者が意図した画質で、テレビジョン受信機に映像を表示させることができる。
【００７３】
また、第３の実施形態に係る映像ストリーム処理装置は、例えば、テレビジョン放送を受信し記録する映像記録再生装置として使用される。この場合、映像記録再生装置は、映像の種類を含んだ映像ストリームを受信し、受信した映像ストリームに対して、映像の種類に対応した映像プロファイルを付加して記録する。この映像記録再生装置は、映像を再生するときには、記録された映像ストリームから映像プロファイルを抽出し、これを用いて、再生された映像の画質を調整する。これにより、ユーザが画質調整を行わなくても、映像記録再生装置で再生される映像の画質を、映像制作者が意図したとおりに設定することができる。
【００７４】
ただし、上記２つの場合において、映像制作者が意図した画質をユーザが好まない場合には、ユーザは、自らの好みに合った映像プロファイルを使用するよう、テレビジョン受信機や映像記録再生装置の設定を切り換えればよい。
【００７５】
以上に述べたすべての映像ストリーム処理装置は、ＣＰＵと、当該ＣＰＵで上記の映像ストリーム処理方法を実行するためのプログラムとを組合せることによって実現することができる。また、第１の実施形態に係る映像ストリーム処理装置が、図１１に示す記憶媒体制御部６１を備えていてもよいことは言うまでもない。
【産業上の利用可能性】
【００７６】
本発明の映像ストリーム処理装置は、ユーザが面倒な操作を行わなくても、常に良好な画質で映像を表示できるという効果を奏するので、デジタルテレビジョン受信機、デジタルビデオレコーダ、映像記録再生機能を有するパーソナルコンピュータなどの映像記録装置、映像再生装置、および、映像記録再生装置として利用することができる。
【図面の簡単な説明】
【００７７】
【図１】本発明の第１の実施形態に係る映像ストリーム処理装置の構成を示すブロック図
【図２】本発明の第１の実施形態に係る映像ストリーム処理装置における映像プロファイルの例を示す図
【図３】本発明の第１の実施形態に係る映像ストリーム処理装置によって、映像プロファイルが付加されたトランスポートパケットを示す図
【図４】本発明の第１の実施形態に係る映像ストリーム処理装置における映像ストリーム記録処理を示すフローチャート
【図５】本発明の第２の実施形態に係る映像ストリーム処理装置の構成を示すブロック図
【図６】発明の第２の実施形態に係る映像ストリーム処理装置における映像ストリーム再生処理を示すフローチャート
【図７】本発明の第２の実施形態に係る映像ストリーム処理装置における映像プロファイル変更時の処理を示すフローチャート
【図８】本発明の第２の実施形態の変形例に係る映像ストリーム処理装置の構成を示すブロック図
【図９】本発明の第３の実施形態に係る映像ストリーム処理装置の構成を示すブロック図
【図１０】本発明の第３の実施形態の第１変形例に係る映像ストリーム処理装置の構成を示すブロック図
【図１１】本発明の第３の実施形態の第２変形例に係る映像ストリーム処理装置の構成を示すブロック図
【図１２】本発明の第３の実施形態の第３変形例に係る映像ストリーム処理装置の構成を示すブロック図
【符号の説明】
【００７８】
１０、２０、３０、４０、５０、６０、７０…映像ストリーム処理装置
１１、２１…ストリーム入力部
１２…画質制御情報記憶部
１３…画質制御情報付加部
１４、４３…記録部
１５、２５…ＴＳデコーダ
１６、２６…解析部
１７…合成部
２２…画質制御情報抽出部
２３…復号部
２４、３４…画質調整部
２７、３７…制御データ算出部
２８…映像出力制御部
３９…表示部
４１…映像ストリーム記録部
４２…映像ストリーム再生部
６１…記憶媒体制御部
７１…画質制御情報決定部
８０…表示装置
８１…表示デバイス
８２…入出力特性データ
９０…記憶媒体
１０１、１０４、２０１…映像ストリーム
１０２…映像の種類
１０３、２０２…映像プロファイル
２０３…入出力特性データ
２０４…制御データ
２０５…映像信号
２０６…画質調整後の映像信号
２０７…動作モード
【図１】
0004786888.tif 000002
【図２】
0004786888.tif 000003
【図３】
0004786888.tif 000004
【図４】
0004786888.tif 000005
【図５】
0004786888.tif 000006
【図６】
0004786888.tif 000007
【図７】
0004786888.tif 000008
【図８】
0004786888.tif 000009
【図９】
0004786888.tif 000010
【図１０】
0004786888.tif 000011
【図１１】
0004786888.tif 000012
【図１２】
0004786888.tif 000013